(57)【要約】【課題】鍵や質量体などの回動部材の回動範囲を規制する動作規制部材の動作規制特性を向上させる具体構成を備えた電子鍵盤楽器の鍵盤装置を提供する。【解決手段】複数の下限ストッパ５1〜５3は、鍵盤フレームの水平部３ａの上面に配置され、複数の白鍵本体部１及び複数の黒鍵本体部２に関し、その配列方向に延在する長尺の動作規制部材であって、鍵の長手方向に並設されている。下限ストッパ５1は、複数の粒子１１が包囲部材１２により部分的に又は全体を包囲されて閉領域に収容された状態のものである。白鍵本体部１が下限ストッパ５1に衝突したとき、複数の粒子１１同士が摺動したり衝突したりすることにより、大きな内部損失が得られるから、下限ストッパ５1は白鍵本体部１に反発力を与えない。【選択図】図１
2008145943.tif 000002
【特許請求の範囲】
【請求項１】
並設された複数の回動部材と、該複数の回動部材を支持するフレームを有する電子楽器の鍵盤装置において、
複数の粒子が包囲部材により部分的に又は全体を包囲されて閉領域に収容されている複数の動作規制部材を有し、
該複数の動作規制部材は、前記複数の回動部材の配列方向に延在するとともに、前記複数の回動部材の長手方向に並設され、
前記各回動部材が前記複数の動作規制部材に衝突することにより前記回動部材の回動範囲が規制される、
ことを特徴とする電子楽器の鍵盤装置。
【請求項２】
前記複数の動作規制部材は、前記回動部材に対する動作規制特性が異なるものである、
ことを特徴とする請求項１に記載の電子楽器の鍵盤装置。
【請求項３】
前記複数の動作規制部材は、それぞれ、前記複数の回動部材の配列方向に前記粒子が移動することを規制する少なくとも１つの移動規制部材が、前記複数の回動部材の配列方向に配設されたものであり、
前記移動規制部材は、前記複数の動作規制部材に対し、それぞれ、前記複数の回動部材の配列方向における異なる位置に配設されている、
ことを特徴とする請求項１又は２に記載の電子楽器の鍵盤装置。
【請求項４】
前記複数の動作規制部材の閉領域は、それぞれ、前記複数の回動部材の配列方向の少なくとも１つの分割位置で分割され、
前記閉領域の分割位置は、前記複数の動作規制部材に対し、それぞれ、前記複数の回動部材の配列方向における異なる位置に配設されている、
ことを特徴とする請求項１又は２に記載の電子楽器の鍵盤装置。
【発明の詳細な説明】
【技術分野】
【０００１】
本発明は、電子楽器の鍵盤装置に関するものであり、特に鍵や鍵に連動する質量体の回動動作を規制するストッパ部材に関するものである。
【背景技術】
【０００２】
従来、電子楽器の鍵盤装置において、押鍵操作したときの鍵の回動動作範囲（初期位置から最大回動位置まで）は、上限ストッパ及び下限ストッパにより規制されている。
図１０は、従来の電子楽器の鍵盤装置を模式的に示す説明図である。
図中、１は白鍵本体部、２は黒鍵本体部である。３は鍵盤フレームであって、鍵の長手方向の前後部に段差があり、これらの間が水平部３ａとなり、水平部３ａの後部分に鍵支持部３ｂがある。
【０００３】
白鍵本体部１の鍵支点部１ｂは、鍵支持部３ｂに取り付けられて白鍵本体部１を回動可能にしている。
白鍵本体部１は、その上面から下方向に両側面部が形成され、両側面部は、先端部１ａ寄りの中間位置において、さらに下方向に垂下して左右一対のストッパ片１ｃとなり、その先端部１ｄは、鍵の奥行き方向に略直角に曲がっている。
黒鍵本体部２についても、上述した白鍵と同様の位置に、鍵支点部２ｂとストッパ片２ｃがある。
鍵盤フレーム３の前方段差部には、縦に複数本の並行スリット３ｃが形成され、各スリット３ｃに、白鍵及び黒鍵のストッパ片の先端部１ｄ，２ｄが挿入される。
【０００４】
水平部３ａには、鍵スイッチ４が設置され、これに対向して、白鍵本体部１、黒鍵本体部２の上面裏側に突部（アクチュエータ）がある。
ストッパ片の先端部１ｄの上面に対向して、水平部３ａの下面に、鍵の配列方向に沿って帯状に上限ストッパ６が配置されている。一方、水平部３ｂの上面には、帯状に下限ストッパ１０１が配置されている。上限ストッパ６，下限ストッパ１０１は、図示の例ではすべての白鍵及び黒鍵に共通のものである。
【０００５】
上限ストッパ６及び下限ストッパ１０１として、衝撃吸収性、消音性、及び、回動範囲の再現性の観点から、弾性復元力を備えたものが必要であり、従来、フェルト又はポリウレタン・エラストマ等が使用されている。
演奏者の押鍵時に鍵スイッチ４が弾性圧縮されてスイッチがオンとなる。さらに鍵が押圧されると、下限ストッパ５は、押圧された白鍵本体部１，黒鍵本体部２の左右両側面から衝撃を受けて弾性変形する。その際、内部損失により運動エネルギが熱エネルギに変換されることにより鍵は制動される。
しかし、下限ストッパ１０１は、弾性変形から元に戻るときに弾性復元力を発生し、この弾性復元力が鍵に対する反発力（リバウンドと呼ばれる）となって、鍵本体部１，黒鍵本体部２から演奏者の指に伝わり、演奏者に不快感を与える。
【０００６】
一方、離鍵時において、図示しない復帰バネの作用等による鍵復帰力により、押鍵された白鍵本体部１，黒鍵本体部２は元の初期位置に復帰する。このとき、ストッパ片の先端部１ｄの上面が上限ストッパ６に衝突する。
その際、上限ストッパ６の弾性復帰力が、白鍵本体部１，黒鍵本体部２に対する反発力となる。この反発力は、鍵復帰力とは相反する方向であるため、白鍵本体部１，黒鍵本体部２は、完全に静止するまで振動を繰り返し、演奏者の指が鍵に触れていると、この振動が伝わって演奏者に不快感を与える。
【０００７】
また、従来の電子楽器用の鍵盤装置として、押鍵操作に連動して質量体を回動させることにより、アコースティック・ピアノに似た押鍵感触が得られるものがある。
上述した質量体に対する上限ストッパ及び下限ストッパもまた、質量体の慣性モーメントの衝撃を吸収して制動するが、質量体が衝突したときに反発力を発生し、これが鍵を介して演奏者の指に伝わり、演奏者に不快感を与える。
【０００８】
そこで、特許文献１においては、ハンマー（質量体）の上限ストッパに関し、これに並設する形で、質量体が下側クッションと上側クッションとに挟まれた「質量部ＭＢ」が設けられている。
この質量体は、エラストマやゴムに金属粉が混合された弾性材料で構成される。又は、砂や金属粉を袋状部材で包んで全鍵幅若しくは複数の鍵幅に亘る長さに形成したものを適用してよいことが記載されている。
上述した「質量部ＭＢ」を使用することにより、押鍵押し切り時における回動部材の跳ね返り、指への衝撃及び衝撃音を抑制しつつ、しっかりとしたストップ感を長期に亘り維持することができると記載されている。
【０００９】
しかし、この特許文献１では、下側クッションを介してハンマーの衝撃を受けており、また、上側クッションを介してシャーシに接着固定されているため、砂や金属粉を袋状部材で包んだ部材の機能が十分に発揮できない。
また、上述した砂や金属粉を袋状部材で包んだ部材の、動作規制機能を向上させるための配置についてまでは検討されていなかった。例えば、砂や金属粉を袋状部材で包んだ部材（動作規制部材）について、その部材自体の特性が良好でなかったり、鍵の配列方向に特性の良好でない位置があったりした場合についてまでは検討されていなかった。
【特許文献１】特開２００３−１９５８５３（図４〜図６）
【発明の開示】
【発明が解決しようとする課題】
【００１０】
本発明は、上述した問題点を解決するためになされたもので、鍵や質量体などの回動部材の回動範囲を規制する動作規制部材の動作規制特性を向上させる具体構成を備えた電子鍵盤楽器の鍵盤装置を提供することを目的とするものである。
【課題を解決するための手段】
【００１１】
請求項１に記載の発明においては、電子楽器の鍵盤装置において、並設された複数の回動部材と、該複数の回動部材を支持するフレームを有する電子楽器の鍵盤装置において、複数の粒子が包囲部材により部分的に又は全体を包囲されて閉領域に収容されている複数の動作規制部材を有し、該複数の動作規制部材は、前記複数の回動部材の配列方向に延在するとともに、前記複数の回動部材の長手方向に並設され、前記各回動部材が前記複数の動作規制部材に衝突することにより前記回動部材の回動範囲が規制されるものである。
従って、回動部材が動作規制部材に衝突したとき、複数の粒子同士が摺動したり衝突したりすることにより、大きな内部損失が得られるから、動作規制部材が回動部材に反発力を与えない。
この回動部材は、複数の動作規制部材に衝突して複数の各動作規制部材により動作規制がなされて、回動範囲、すなわち、初期位置及び又は最大変位位置が規制される。
その結果、複数の各動作規制部材の動作規制特性を総合したり平均化したりすることができることから、動作規制機能が向上する。
【００１２】
請求項２に記載の発明においては、請求項１に記載の電子楽器の鍵盤装置において、前記複数の動作規制部材は、前記回動部材に対する動作規制特性が異なるものである。
従って、各動作規制部材を合わせた総合動作規制特性が良好になるように調整することができる。
【００１３】
請求項３に記載の発明においては、請求項１又は２に記載の電子楽器の鍵盤装置において、前記複数の動作規制部材は、それぞれ、前記複数の回動部材の配列方向に前記粒子が移動することを規制する少なくとも１つの移動規制部材が、前記複数の回動部材の配列方向に配設されたものであり、前記移動規制部材は、前記複数の動作規制部材に対し、それぞれ、前記複数の回動部材の配列方向における異なる位置に配設されているものである。
回動部材に対する動作規制部材の制動特性は、動作規制部材に配設された移動規制部材の位置及び近傍位置で悪くなる。
従って、移動規制部材が、複数の動作規制部材に対し、それぞれ、配列方向における異なる位置に配設されていることにより、複数の回動部材に対する動作規制特性を均一化することができる。
【００１４】
請求項４に記載の発明においては、請求項１又は２に記載の電子楽器の鍵盤装置において、前記複数の動作規制部材の閉領域は、それぞれ、前記複数の回動部材の配列方向の少なくとも１つの分割位置で分割され、前記閉領域の分割位置は、前記複数の動作規制部材に対し、それぞれ、前記複数の回動部材の配列方向における異なる位置に配設されているものである。
回動部材に対する動作規制部材の制動特性は、動作規制部材の閉領域に配設された分割位置及び近傍位置で悪くなる。
従って、分割位置が、複数の動作規制部材に対し、それぞれ、配列方向における異なる位置に配設されていることにより、複数の回動部材に対する動作規制特性を均一化することができる。
上述した動作規制部材の閉領域は、例えば、動作規制部材の包囲部材に閉塞部が形成されることにより分割される。あるいは、動作規制部材自体を分割することにより分割される。
【００１５】
上述した請求項１から４までのいずれか１項に記載の電子楽器の鍵盤装置において、前記複数の回動部材は、鍵及び該鍵の押鍵操作に連動して回動する質量体の少なくとも一方である。
鍵盤装置には、押鍵操作に連動して回動する質量体を備えたものと、備えないものとがある。包囲部材により複数の粒子が包囲された動作規制部材は、鍵及び質量体のいずれの回動範囲の規制に用いてもよいし、両方の回動範囲の規制に用いてもよい。鍵及び質量体は異なる領域に配置されているから、鍵に対する動作規制部材と質量体に対する動作規制部材とは異なる部材となる。
また、回動範囲の規制として、上限の位置規制と下限の位置規制とがある。複数の粒子が包囲部材により閉領域に収容された動作規制部材を、いずれの規制に用いてもよいし、両方に用いてもよい。上限の位置規制に対する動作規制部材と下限の位置規制に対する動作規制部材とは異なる部材となる。
【発明の効果】
【００１６】
本発明によれば、回動部材が動作規制部材に衝突したときに反発力が生じないために鍵タッチ感が良好となる構造の動作規制部材を使用した電子楽器の鍵盤装置において、単独の動作規制部材では特性が良好でない場合や、鍵の長手方向に特性の良好でない位置がある場合に、動作規制特性が改善されて向上するという効果がある。
【発明を実施するための最良の形態】
【００１７】
図１は、本願発明の第１の実施形態を模式的に示す説明図である。
図１（ａ）は、電子楽器の鍵盤装置を模式的に説明する右側面図、図１（ｂ）は、電子楽器の鍵盤装置を模式的に説明する平面図である。
図１（ｃ），図１（ｄ）は、その下限ストッパについて、粒子の挙動を右側面方向から模式的に示す説明図であり、図１（ｅ）は、粒子の挙動を正面方向から模式的に示す説明図である。
図中、図１０と同様な部分には同じ符号を付して説明を省略する。
【００１８】
図１（ａ），図１（ｂ）において、５1〜５3は複数の下限ストッパ（動作規制部材）であって、鍵盤フレーム（フレーム）３の水平部３ａの上面に配置されている。
下限ストッパ５1〜５3は、複数の白鍵本体部１（回動部材）及び複数の黒鍵本体部２（回動部材）に関し、その配列方向（鍵並び方向）に延在する長尺の動作規制部材であって、鍵の長手方向に並設されている。
背景技術で説明した図１０に示した下限ストッパ１０１と同様に、下限ストッパ５1〜５3のそれぞれに、白鍵本体部１（回動部材）、黒鍵本体部２（回動部材）が衝突することにより、白鍵本体部１及び黒鍵本体部２の回動範囲のうち、最大回動位置が規制される。
図１に示した複数の下限ストッパ５1〜５3は、同一構造、同一材質のものであって、同一の動作規制特性、例えば、制動力や原状復帰性等を有しているが、動作タイミングは異なる。
【００１９】
図１（ｃ），図１（ｄ）を参照し、単独の下限ストッパの機能について、白鍵本体部１の押鍵操作に対する下限ストッパ５1の動作を例にして説明する。
下限ストッパ５1は、複数の粒子１１が包囲部材１２により部分的に又は全体を包囲されて閉領域に収容された状態のものである。
白鍵本体部１が下限ストッパ５1に衝突したとき、複数の粒子１１同士が摺動したり衝突したりすることにより、大きな内部損失が得られるから、下限ストッパ５1は白鍵本体部１に反発力を与えない。
本明細書において、包囲部材１２により複数の粒子１１が包囲（部分包囲又は全部包囲）された構造を、以下、簡単に、「パーティクル・バッグ」と呼ぶ場合がある。
一方、上限ストッパ６は、図示の例では、従来通りのフェルト等を用いた弾性を有する動作規制部材（以下、弾性型動作規制部材という）にしている。
【００２０】
上述した閉領域は、包囲部材１２により全周囲を包囲されている場合の他、基材と包囲部材１２とにより全周囲を包囲される場合がある。この基材は、鍵盤フレーム３と独立したもの、又は、鍵盤フレーム３そのものである場合がある。
上述した下限ストッパ５1は、複数の粒子が通気性を有する包囲部材１２により部分的に又は全体を包囲されたもの、又は、複数の粒子１１が通気性を有する基材とこの基材に封着された包囲部材１２により包囲されて、鍵盤フレーム３の側に配置されているものであるとよい。通気性を有していれば、白鍵本体部１，黒鍵本体部２が下限ストッパ５1に衝突したとき、包囲部材１２の内部の空気圧による反発力が発生しない。
【００２１】
図示の例では、水平部３ａを基材とし、この基材上に包囲部材１２が接着、融着等により封着されて、粒子１１が散逸しないようにしている。
これに代えて、複数の粒子１１が筒状の包囲部材１２に包囲されたものが鍵盤フレーム３に配置されていてもよい。
下限ストッパ５1は、鍵盤フレーム３自体に配置されている必要はなく、鍵盤装置を固定的に支持する他の部材に配置されていてもよい。
【００２２】
粒子１１は、固体物であり、球体として図示しているが、球体に限られない。外形寸法は、球体の場合で３mmφ以下が望ましい。先行技術文献１に記載の砂や金属粉でもよく、その他、セラミック、金属、プラスチックでもよい。
包囲部材１２は、複数の粒子１１の動作を包括的に拘束するものであって、薄くて柔軟性のある素材（薄皮状の素材ということもできる）で形成されている。
【００２３】
衝突を受けたときの運動エネルギが、複数の粒子１１に伝わることを阻害せず、粒子の摺動や衝突を妨げることなく、複数の粒子を閉領域に収容できるものがよい。包囲部材１２の柔軟性を調節することにより、演奏者の所望する感触が得られるようにする。
より具体的には、包囲部材１２は、弾性を有する素材であり、内部、外部から受ける力に応じて包囲部材の表面積が伸縮するものがよい。しかし、包囲部材は、伸縮しなくても布のように、自由に曲がったり弛んだりするものでもよい。
【００２４】
上述した包囲部材１２として、網目（メッシュ）状の包囲部材、例えば、織布（クロス）、編み物（ニット）、不織布を用いることができる。
包囲部材１２として、プラスチック、天然ゴム、合成ゴムなどの薄膜（フィルム）４４を用いてもよい。これらが発泡体である場合もある。薄膜には、複数の通気孔があるとよい。
【００２５】
図１（ｃ）は、押鍵されていない状態における下限ストッパ５1である。
図１（ｄ），図１（ｅ）に示すように、白鍵本体部の左側面部１ｅ，右側面部１ｆの下端が、包囲部材１２に衝突したとき、その運動エネルギは、包囲部材１２を介して、複数の粒子１１に伝達され、粒子１１同士が連鎖的に衝突したり、摺動したりして任意の方向に移動する際に、運動エネルギが熱エネルギに変換されて消失する。
従って、弾性エネルギが蓄積されず、白鍵本体部１に対する反発力が発生しない。その結果、不快なタッチ感が排除される。
一方、包囲部材１２が水平方向に伸びる結果、包囲部材１２は適度な収縮力によって、複数の粒子１１を閉領域に拘束するとともに、粒子１１の挙動を包括的に拘束する。
ユーザが離鍵操作をすることにより、白鍵本体部の左側面部１ｅ，右側面部１ｆの下端が、下限ストッパ５1から離れたとき、包囲部材１２は縮むから、図１（ｃ）の初期状態に戻る。
【００２６】
再び、図１（ａ），図１（ｂ）を参照し、複数の下限ストッパ５1〜５3が、鍵の長手方向（回動部材の回動径方向）に並設された構造を説明する。
白鍵本体部１が押鍵されたとき、その左側面部１ｅ，右側面部１ｆが、複数の下限ストッパ５3，５2，５1に衝突し、それぞれの動作規制特性に従った動作規制を受けることにより、回動範囲のうち、最大回動位置が規制される。その結果、各下限ストッパ５3，５2，５1の動作規制を総合したり平均化したりすることができることから、動作規制機能が向上する。
【００２７】
図示の例では、下限ストッパ５1〜５3の高さは同じであり、鍵支点部１ｂ，２ｃを基点とした鍵の長手方向に、下限ストッパ５3、下限ストッパ５2、下限ストッパ５1の順で遠くなっている。すなわち、白鍵本体部１及び黒鍵本体部２は、複数の下限ストッパ５1〜５3に対し、時間差を有して異なる時点で衝突するように設置されている。
その結果、総合的な動作規制特性は時間的に変化させることができ、例えば、押鍵された鍵に対し、徐々に制動力を大きくして衝撃音を小さくすることができる。
なお、下限ストッパ５1〜５3を高さの異なる基台の上に載置することにより、下限ストッパ５1〜５3の上面位置を調整し、左側面部１ｅ，右側面部１ｆが同時に下限ストッパ５1〜５3に衝突するようにしたり、衝突するタイミングを変えたりすることもできる。
【００２８】
なお、包囲部材１２は、鍵の配列方向の全鍵幅に亘って延在し、その両端部は、包囲部材１２と同じ素材を当てることにより封止したり、別の部材を用いて封止したりして、両端部から粒子１１が外に出ないようにする。
後述する他の包囲部材についても、鍵の配列方向の全鍵幅に亘って延在しているものは、同様に、その両端部を封止する。
【００２９】
図２は、本願発明の第２の実施形態を模式的に示す説明図である。
図中、図１と同様な部分には同じ符号を用いている。
この実施の形態においては、複数の下限ストッパ２１1，２１2の粒子１１の材質，形状，サイズ、個数、包囲部材１２の材質，膜厚等を異ならせることにより、白鍵本体部１及び黒鍵本体部２（回動部材）に対する動作規制特性、例えば、制動力や原状復帰性（形状再現性）が異なるようにしたものである。
【００３０】
パーティクル・バッグは、制動特性は優れるが、形状の再現性（回動部材の初期位置及び動作範囲の再現性）の点で、従来のフェルト等を用いた弾性型動作規制部材より劣る面もある。そのため、同じパーティクル・バッグであっても、動作規制特性を異ならせることにより、総合的な動作規制特性が良好になるように調整することができる。
その際、下限ストッパ２１1，２１2自体の高さ、すなわち、上面位置が異なるようにした場合は、白鍵本体部１の左側面部１ｅ，右側面部１ｆが下限ストッパ２１1，２１2に衝突する衝突するタイミングを変えることができる。
例えば、最初に衝突される下限ストッパは、形状復元力の比較的大きな構造にすれば、白鍵本体部１の回動動作範囲の下限位置は、比較的精度良く再現されるから、後から衝突される下限ストッパの高さ位置の再現性が多少不正確であっても回動動作範囲の精度が向上することとなる。
【００３１】
図１，図２を参照して説明した下限ストッパ５1，５2，５3，２１1，２１2は、鍵の配列方向に長く一様に形成された長尺のものであった。そのため、例えば、電子楽器を僅かに傾斜した状態で使用していると、パーティクル・バッグ内の粒子１１が鍵の配列方向に偏在するようになる。そうすると、高音域側の鍵と低音域側の鍵とでは、鍵タッチ感が変化したり、所望の制動機能が得られなくなったりする。
【００３２】
図３は、図１，図２に示した下限ストッパの第１の変形例を示す説明図である。
この下限ストッパ３１は、基材となる水平部３ａと包囲部材１２とで全周が囲まれた内部に、移動規制部材３２が鍵の配列方向に配設されたものである。
図中、図１，図２と同様な部分には同じ符号を付している。複数の粒子１１は図示を省略した。
移動規制部材３２は、Ｈ字形の水平断面を有する。３２ａはそのＨ字形の横棒をなす垂直壁であって、３２ｂは垂直壁３２ａの両側面に結合した、Ｈ字形の立棒をなすフランジである。
【００３３】
移動規制部材３２は、基材となる水平部３ａに固定されるか、水平部３ａと一体で成形されるが、単に載置されているだけでもよい。
図示の例では、フランジ３２ｂの図示ハッチングを施した部分と包囲部材１２とを、接着、粘着（例：両面接着テープ）、融着、ねじ止め等の方法で接合している。
垂直壁３２ａが移動規制部となって、粒子１１が鍵の配列方向に移動することを規制する。その結果、下限ストッパ３１が長期的に制動機能を保持できる。
垂直壁３２ａは、白鍵本体部１の左側面部１ｅ，右側面部１ｆの下端が当接する位置の中間、すなわち、鍵の幅方向の中央部に位置するように配置する。全ての白鍵本体部１、黒鍵本体部２の中央部に配置する必要はなく、ｎ鍵（ｎは正整数）に１鍵の割合で配置すればよい。
【００３４】
しかし、上述したような移動規制部材を使用しても、鍵盤装置を壁に立てかけた状態で放置したり、鍵盤装置を縦長にして運んだりした場合に、包囲部材１２に包囲された粒子１１が、鍵の配列方向に偏在するおそれがある。
そこで、以下に示す具体例では、動作規制部材の閉領域を複数の領域に分割することにより、鍵の配列方向への粒子１１の移動を阻止するようにした。
【００３５】
図４は、図１，図２に示した下限ストッパの第２の変形例を示す説明図である。
この下限ストッパ４１は、外部に移動阻止部材が配設されたものである。
図中、図１，図２と同様な部分には同じ符号を付している。粒子１１の図示は省略した。
４２は移動阻止部材である。４２ａはアーム、４２ｂはアーム４２ａを支持する支持部、４２ｃは支持部４２ｂを水平部３ａに固定するための基底部である。
４３は、包囲部材１２により包囲されたパーティクル・バッグの節（分割位置）部、４４はこのパーティクル・バッグの腹部である。
【００３６】
アーム４２ａは、包囲部材１２の外側にあって、包囲部材１２の外から、パーティクル・バッグを押しつぶして閉塞部を形成する移動阻止部となる。アーム４２ａは、パーティクル・バッグで形成された下限ストッパ３１の閉領域を、複数の部屋に分割する。複数の粒子１１は、分割された個々の閉領域（部屋）に閉じこめられているから、鍵の配列方向への移動が阻止される。
【００３７】
図５は、図１，図２に示した下限ストッパの第３の変形例を示す説明図である。
この下限ストッパ５１は、包囲部材そのものに閉塞部が形成されたものである。
図５（ａ）に示すように、下限ストッパ５１を形成するためには、先ず、包囲部材５２を筒状にする。平面状に形成された矩形の素材を２つ折りにし、対向する上端部５２ａと下端部５２ｂとを重ね合わせて結合することにより、筒状の包囲部材５２を形成する。材料自体の融着、接着材を用いた接着、糸を用いた縫合、クリップ等の挟み込み部材を用いた挟着等、対向する面同士の一般的な結合方法を用いる。
【００３８】
次に、筒状の包囲部材５２の一端部を密閉し、他端部から粒子１１を注入し、図５（ｂ）に示すように、包囲部材５２により包囲された粒子１１の閉領域を複数の部屋に分割する。
そのために、分割位置の粒子１１を移動させ、上下の包囲部材を押しつぶし、略線状に重ね合わせ、端部（上端部５２ａ，下端部５２ｂ）と同様の面同士の結合を行う。結合された略線状の分割位置は、扁平な閉塞部５２ｃとなる。
閉塞部５２ｃは、図示のように、端部の境界線（鍵の配列方向）と直交する方向に形成する。
閉塞部５２ｃを形成する際に、包囲部材５２を鍵配列の中心軸方向に寄せて縮めた上で略線状に結合し、閉領域の断面が拡張されるようにし、多数の粒子１１を収容できるようにするとよい。
【００３９】
図６は、図５に示した筒状の包囲部材を作成するための、他の具体例の説明図である。
図６（ａ）に示す包囲部材６１は、平面状に形成された２枚の矩形素材を用いたものである。１枚目の左端部６１ａ，右端部６１ｂを、それぞれ、２枚目の左端部６１ｃ，右端部６１ｄに重ね合わせ、端部を結合する。
図６（ｂ）に示す包囲部材６２は、平面状の素材を円筒状に丸めて、内端部６２ａと外端部６２ｂとを重ね合わせて結合する。
図６（ｃ）においては、筒状体の包囲部材６３を用いる。例えば、袋織りされた織物、丸編みされた編み物、筒状に射出成形された薄膜である。
いずれの具体例においても、分割位置における略線状の閉塞部は、図４の場合と同様の方法で形成する。
【００４０】
図７は、図６に示した筒状の包囲部材を作成するための、さらに他の具体例の説明図である。
図７（ａ）において、図中、７１は下限ストッパ、７２は包囲部材、７２ａは閉塞部（分割位置）、７３は締結部材である。包囲部材７２の素材に制約はなく、図１に示した包囲部材１２の素材を用いればよい。
この具体例では、包囲部材７２を締結部材７３で略点状に絞ることにより、閉塞部７２ａを形成する。
【００４１】
締結部材７３としては、ゴムや糸、紐を用いる。糸、紐で縛ったり、ゴム止めしたり、糸で縫合したりする。また、締結部材７３として金属製リングを用い、これでかしめたりする。
なお、締結部材７３を用いることなく、包囲部材７２自体をねじることによっても閉塞部７２ａを形成することができる。
図５に示したような略直線状の閉塞部４２ｃと比較して、略点状に絞る方が組み立てが容易であるだけでなく、包囲部材７２の内部包囲領域の断面が略円形状となって多数の粒子１１を収容することができる。
【００４２】
図７（ｂ）は、図７（ａ）に示した下限ストッパ７１の部材自体を分割して、複数の下限ストッパ７４としたものである。
分割された下限ストッパ７４の両端は、例えば、締結部材７３により略点状に絞られて封止されている。
【００４３】
上述した図３においては、移動規制部材（粒子の移動規制位置）３２を設けることにより、粒子が鍵の配列方向に移動しにくいようにし、一方、図４〜図７においては、包囲部材に分割位置（閉塞部）４２，５２ｃ，７２ａを設けることにより、閉領域を複数の包囲領域に分割することにより、粒子が鍵の配列方向に移動することを阻止している。
これらを設ける位置は、鍵が衝突する箇所を避ける必要がある。
粒子の移動規制位置、分割位置、及びその近傍において、パーティクル・バッグは、本来の動作規制機能を奏しないからである。
従って、粒子の移動規制位置及び分割位置は、白鍵本体部１，黒鍵本体部２の左側面部，右側面部の下端が当接する位置の中間、すなわち、鍵の幅方向の中央部とすればよい。
しかし、すべての鍵の幅方向中央部に設ける必要はなく、ｎ鍵（ｎは正整数）に１鍵の割合で配置すればよい。
【００４４】
図８は、本願発明の第３の実施形態を模式的に示す説明図である。
この実施の形態は、図３に示した粒子の移動規制位置、図４〜図７に示した分割位置を配設したものである。
図中、図１と同様な部分には同じ符号を用いている。図５に示した閉塞部５２ｃを設けた下限ストッパ５１を具体例として、下限ストッパ５１1〜５１3を用いたもので説明する。
閉塞部５２ｃ1〜５２ｃ3は、複数の下限ストッパ５１1〜５１3に対し、それぞれ、複数の白鍵本体部１，黒鍵本体部２の配列方向における異なる位置に配設され、粒子１１が移動することを阻止する。
【００４５】
図示の例では、閉塞部５２ｃ1〜５２ｃ3は、ｎ＝３鍵に１鍵の割合で配置され、並列配置されている各下限ストッパ５１1〜５１3の鍵並び方向での分割位置を均等にずらせて、各下限ストッパ５１1〜５１3間で重ならないように配置されている。従って、いずれの鍵の中央部にも、閉塞部５２ｃ1〜５２ｃ3のうち、１つしか配置されない。
その結果、全体として分割位置及びその近傍位置における制動特性の低下が影響しないようになるから、動作規制特性を各鍵に対して均一化することができる。
各下限ストッパ５１1〜５１3の鍵に対する動作規制特性が異なっている場合でも、分割位置及びその近傍位置における制動特性の低下の影響を複数の鍵に分散させたほうがよい。
【００４６】
上述した説明は、白鍵本体部１及び黒鍵本体部２に対する下限ストッパに複数列のパーティクル・バッグを使用した場合であった。
しかし、図１，図２に示した上限ストッパ６（動作規制部材）についても、同様な構造の複数列のパーティクル・バッグを使用してもよい。
図５ないし図８を参照して説明した具体例では、筒状の包囲部材は、閉塞部が形成されたものであった。
しかし、閉塞部を形成しない場合でも、図１〜図４を参照して説明した動作規制部材のような、包囲部材を基台に封着したものに代えて、筒状の包囲部材を使用してもよい。
【００４７】
図９は、本願発明の第４の実施形態を模式的に示す説明図である。
この実施の形態は、質量体に対する下限ストッパ及び上限ストッパに、複数列のパーティクル・バッグを使用したものである。
図９（ａ）は、本願発明の第４の実施形態を模式的に示す右側面図である。
図中、８１は白鍵本体部（回動部材）、８２は黒鍵本体部（回動部材）である。鍵盤フレーム８３は、鍵の長手方向の前後部に段差部があり、これらの間が水平部８３ａとなっている。水平部８３ａの後部分に鍵支持部８３ｂがある。一方、水平部８３ａの裏面前部分に質量体支持部８３ｃがある。
白鍵本体部８１，黒鍵本体部８２の鍵支点部８１ｂ，８２ｂは、鍵支持部８３ｂに取り付けられ、白鍵本体部８１，黒鍵本体部８２を回動可能にしている。
【００４８】
鍵盤フレーム８３の段差部の前後は、鍵盤フレーム底板８４への取付部８３ｄ，取付部８３ｅとなる。取付部８３ｄの前面は垂直壁８３ｆとなる。鍵盤フレーム底板８４は鍵盤フレーム側の固定部材、例えば、電子楽器の下ケース（棚板）であってもよい。
垂直壁８３ｆには、白鍵本体部８１に対する鍵ガイド８５がある。鍵ガイド８５は白鍵本体部の先端部８１ａ近傍の下部に挿入される。一方、水平部８３ａに固定された鍵ガイド８６は、黒鍵本体部８２に対するものである。
水平部８３ａ上には、鍵スイッチ４が設置され、これに対向して、白鍵本体部８１、黒鍵本体部８２の上面裏側に図示しない突部（アクチュエータ）がある。
【００４９】
白鍵本体部８１の下部から力伝達部８１ｃが突き出し、水平部８３ａに設けられた孔８３ｇを貫通している。力伝達部８１ｃの先端に底板を有し、この底板の上部は、鍵の長手方向に抜けている。この底板の上下面に弾性部材８７（上面は見えない）が固着されている。
質量体８８は、複数の白鍵本体部８１，黒鍵本体部８２のそれぞれに設けられ、各鍵の下方に鍵の配列方向に配置されている。図示の質量体８８は、白鍵本体部８１に対するもので、質量体支持部８３ｃにより回動自在に支持され、対応する鍵の力伝達部８１ｃを介して回動される。
【００５０】
質量体８８は、質量体支持部８３ｃに支持される回動支点部８８ｃと、鍵の力伝達部８１ｃに係合する、主被駆動部８８ａ及び副被駆動部８８ｂと、慣性モーメントを発生する腕状の慣性モーメント発生部８８ｄを有する。慣性モーメント発生部８８ｄの後端は、質量集中部８８ｅとなる。
主被駆動部８８ａ及び副被駆動部８８ｂは、力伝達部８１ｃの底板を弾性部材８７を介して挟み込むようにして力伝達部８１ｃと係合している。
【００５１】
演奏者が鍵を押す操作に連動して質量体８８が回動すると、慣性モーメント発生部８８ｄの反作用が白鍵本体部８１から演奏者の指に与えられる。演奏者が鍵から指を離すと、質量体８８は重力の作用により逆回動して図示の位置に戻る。
黒鍵本体部８２の力伝達部は、力伝達部８１ｃと重なる位置にあり、同様に、質量体支持部により回動自在に支持された質量体が設けられ、対応する黒鍵の力伝達部により回動される。
【００５２】
水平部８３ａの上面に、パーティクル・バッグを用いた鍵に対する下限ストッパ８９が帯状に配置されている。
一方、９０1，９０1は、質量体８８に対する上限ストッパ（動作規制部材）であって、水平部８３ａの裏面に配置され、質量体８８が回動するときに、質量集中部８８ｅの上面が衝突することにより、質量体８８の上限位置が規制される。
９１1，９１1は、質量体８８に対する下限ストッパ（動作規制部材）であって、鍵盤フレーム底板８４に配置され、回動した質量体８８が復帰するときに、質量集中部２８ｅの下面が衝突することにより、質量体８８の初期位置が規制される。
【００５３】
上限ストッパ９０1，９０2及び下限ストッパ９１1，９１2は、図１〜図８を参照して説明したパーティクル・バッグである。図５に示した閉塞部による分割位置を有する構造のもので図示しているが、他の構造でもよい。
図９（ｂ）は、上限ストッパ９０1，９０2の動作説明図である。
いずれも、衝突面が水平になるように設置しているが、水平部８３ａに固定するか、図４に示したアーム３２ａのような部材で、包囲部材９２の閉塞部９２ｃを、動作規制部材としての原形をとどめたまま支持してもよい。
【００５４】
図９（ｂ）に示すように、包囲部材９２において、質量集中部８８ｅから衝撃荷重を受けるのは腹部の下面である。この腹部の下面が略直線状の閉塞部９２ｃと略平行になるように、上限ストッパ９０1，９０2が水平部８３ａに設けられている。
下限ストッパ９１1，９１2についても、衝突面となるその腹部の上面が略直線状の閉塞部９２ｃと略平行になるように配置する。
【００５５】
白鍵本体部２１が押下されたことに連動して、質量集中部８８ｅの上面部は、上限ストッパ９０1と９０2の両者に衝突する。一方、白鍵本体部２１が離鍵されたことに連動して、質量集中部８８ｅが元の初期位置に戻るとき、下限ストッパ９１1と９１2の両者に衝突する。
複数列の上限ストッパ９０1と９０2の高さを異ならせたり、下限ストッパ９１1と９１2の高さを異ならせたりすることにより、各動作規制部材の動作規制特性の機能が開始されるタイミングをずらせることもできる。
【００５６】
上限ストッパ９０1，９０2及び/又は下限ストッパ９１1，９１2として、図２に示した鍵本体部に対する下限ストッパと同様に、動作規制特性を異ならせてもよい。
また、図８に示した鍵本体部に対する下限ストッパと同様に、粒子の移動規制部材を、複数の上限ストッパ９０1，９０2及び/又は下限ストッパ９１1，９１2に対し、それぞれ、複数の質量体２８の配列方向における異なる位置に配設したり、包囲部材の閉領域の分割位置を、それぞれ、複数の質量体２８の配列方向における異なる位置に配設したりしてもよい。
移動規制部材を設けたり、分割位置を設けたりする場合は、これらを、鍵の配列方向における、隣接する質量集中部８８ｅの中間位置となるようにする。
【００５７】
質量体を有する鍵盤構造及び回動方向は、図９に示したものに限らない。初期位置で傾斜状態であった質量体が、押鍵したときに鉛直方向に立ち上がるものもある。この場合、鉛直方向に立ち上がったとき、パーティクル・バッグが水平方向の衝突を受けるようにすればよい。
また、初期位置で質量体が上限にあり、鍵の押し込み位置で質量体が下限にあってもよい。
【００５８】
上述した複数列の上限ストッパ及び下限ストッパの設置位置は、典型的な位置を例示して説明したが、鍵や鍵に連動する質量体に対する動作規制機能を果たすものであれば、図示の位置以外に設けてもよい。
上限ストッパ及び下限ストッパを鍵盤フレームそのものに配置する必要はなく、回動部材に対する固定側に配置されていればよい。
上述した複数列の上限ストッパ及び下限ストッパに加えて、従来から使用されているフェルト等を用いた上限ストッパ及び下限ストッパを鍵の長手方向に増設してもよい。
【図面の簡単な説明】
【００５９】
【図１】本願発明の第１の実施形態を模式的に示す説明図である。
【図２】本願発明の第２の実施形態を模式的に示す説明図である。
【図３】図１，図２に示した下限ストッパの第１の変形例を示す説明図である。
【図４】図１，図２に示した下限ストッパの第２の変形例を示す説明図である。
【図５】図１，図２に示した下限ストッパの第３の変形例を示す説明図である。
【図６】図５に示した筒状の包囲部材を作成するための、他の具体例の説明図である。
【図７】図５に示した筒状の包囲部材を作成するための、さらに他の具体例の説明図である。
【図８】本願発明の第３の実施形態を模式的に示す説明図である。
【図９】本願発明の第４の実施形態を模式的に示す説明図である。
【図１０】従来の電子楽器の鍵盤装置を模式的に示す説明図である。
【符号の説明】
【００６０】
１…白鍵本体部（回動部材）、１ｂ…鍵支点部、１ｃ…ストッパ片、１ｅ…左側面部，１ｆ…右側面部、２…黒鍵本体部（回動部材）、２ｂ…鍵支点部、２ｃ…ストッパ片、３…鍵盤フレーム（フレーム）、３ａ…水平部、３ｂ…鍵支持部、３ｃ…並行スリット、４…鍵スイッチ、５，５1〜５3…下限ストッパ（動作規制部材）、６…上限ストッパ、１１…粒子、１２…包囲部材、２１1，２１2…下限ストッパ（動作規制部材）
【００６１】
３１…下限ストッパ、３２…移動規制部材、４１…下限ストッパ（動作規制部材）、４２…移動阻止部材、５１，５１1〜５１3…下限ストッパ（動作規制部材）、５２…包囲部材、５２ｃ1〜５２ｃ3…閉塞部、６１，６２，６３，７２…包囲部材、７１…下限ストッパ（動作規制部材）、７２…包囲部材、７３…締結部材、７４…下限ストッパ（動作規制部材）
【００６２】
８１…白鍵本体部（回動部材）、８１ｂ…鍵支点部、８２…黒鍵本体部（回動部材）、８２ｂ…鍵支点部、８３…鍵盤フレーム（フレーム）、８３ａ…水平部、８３ｂ…鍵支持部、８３ｃ…質量体支持部、８３ｇ…孔、８４…鍵盤フレーム底板、８５…鍵ガイド、８６…鍵ガイド、８７…弾性部材、８８…質量体、８８ｃ…回動支点部、８８ｅ…質量集中部、８９…下限ストッパ、９０1，９０1…上限ストッパ（動作規制部材）、９１1，９１1…下限ストッパ（動作規制部材）、９２…包囲部材、９２ｃ…閉塞部、１０１…下限ストッパ
【図１】
2008145943.tif 000003
【図２】
2008145943.tif 000004
【図３】
2008145943.tif 000005
【図４】
2008145943.tif 000006
【図５】
2008145943.tif 000007
【図６】
2008145943.tif 000008
【図７】
2008145943.tif 000009
【図８】
2008145943.tif 000010
【図９】
2008145943.tif 000011
【図１０】
2008145943.tif 000012